(57)【要約】  【課題】  光ディスク装置において、光ディスクの搬入・搬出動作の信頼性を確保できる技術を提供する。  【解決手段】  ターンテーブルを備えるトレイが摺動するレール部材の移動を案内するガイドレール部材を、トップケースの内面との距離が光ディスクの搬出方向に対し増大するレール摺動面を有した構成とする。【選択図】  図２
2005259255.tif 000002
【特許請求の範囲】
【請求項１】
光ディスクをトレイにより装置内に搬入し、ターンテーブルで回転させて情報の記録、再生のいずれか一方または両方を行う光ディスク装置であって、
上記ターンテーブルが設けられたトレイと、
上記ターンテーブル側に配され、装置を覆うトップケースと、
上記トレイの側端部に摺動可能に係合し、該トレイとともに上記光ディスクの搬入方向または搬出方向に移動するレール部材と、
上記トップケースの内面との距離が上記光ディスクの搬出方向に対して増大するレール摺動面を有し、該レール摺動面で上記レール部材に係合し該レール部材の移動を案内するガイドレール部材と、
を備えた構成を特徴とする光ディスク装置。
【請求項２】
上記ガイドレール部材は、上記レール摺動面が直線状斜面から成る構成である請求項１に記載の光ディスク装置。
【請求項３】
上記ガイドレール部材は、上記レール摺動面が、段差状に設けた複数の直平面を備えて成る構成である請求項１に記載の光ディスク装置。
【請求項４】
上記ガイドレール部材は、上記レール摺動面の上記複数の直平面が斜面により結合された構成である請求項３に記載の光ディスク装置。
【請求項５】
上記ガイドレール部材の上記レール摺動面は、上記ターンテーブルが上記トップケースに当接しないように形成されている請求項１に記載の光ディスク装置。
【請求項６】
上記ガイドレール部材は、上記レール摺動面が、トップケース平面に対し約０．２°から０．３°の範囲の傾斜角を有して形成されている請求項１に記載の光ディスク装置。
【発明の詳細な説明】
【技術分野】
【０００１】
本発明は、光ディスク装置に係り、特に、光ディスクの搬入、搬出するための技術に関する。
【背景技術】
【０００２】
本発明に関連する従来技術としては、例えば、特開平７−２５４２６３号公報（特許文献１）や特開平７−１４２７７号公報（特許文献２）に記載されたものがある。特開平７−２５４２６３号公報には、トレー（トレイ）がディスク装着位置にあるとき、シャーシを覆う天板（トップケース）の、ターンテーブルが対向する部分に開口を設け、該開口を上記天板（トップケース）よりも薄い蓋により閉蓋する構成が記載され、特開平７−１４２７７号公報には、イジェクト状態にあるディスクトレー（トレイ）の前下がり防止するために、該ディスクトレーが装置本体外にイジェクトされるに従い、ガイド機構により該ディスクトレーを前方上方に傾斜させてガイドする構成が記載されている。
【０００３】
【特許文献１】特開平７−２５４２６３号公報
【０００４】
【特許文献２】特開平７−１４２７７号公報
【発明の開示】
【発明が解決しようとする課題】
【０００５】
上記従来技術において、装置の薄型化のために、トップケースやボトムケースと、内部の部品との間のクリアランスの縮小化や、トップケースやボトムケースの薄肉化等で対応しようとした場合、例えば、トップケースやボトムケースが内部側に撓んでいるときなどには、装置本体に対するディスクの搬入・搬出時に、トレイまたは該トレイに搭載されたターンテーブルなどの突出部が該トップケースなどの内面に当接し、該搬入・搬出の動作を阻害するおそれがある。特に、接地用のばねなどで該トップケースが外面側から押される構成の場合には、該トップケースが内面側へ撓むため、上記当接のおそれが増大する。
【０００６】
本発明の課題点は、上記従来技術の状況に鑑み、光ディスク装置において、トップケースが接地用ばねなどにより押される構成とした場合にも、トレイまたは該トレイに搭載されたターンテーブルなどが該トップケースの内面に当接しないようにして、光ディスクのスムーズな搬入・搬出動作を可能にすることである。
本発明の目的は、かかる課題点を解決し、光ディスク装置において、薄型化を図った場合にも光ディスクの搬入・搬出動作の信頼性を確保できる技術を提供することにある。
【課題を解決するための手段】
【０００７】
上記課題点を解決するために、本発明では、トレイ上にターンテーブルを備える光ディスク装置において、該トレイが摺動するレール部材の移動を案内するためのガイドレール部材を、トップケースの内面との距離が光ディスクの搬出方向に対し増大するレール摺動面を有した構成とする。
【発明の効果】
【０００８】
本発明によれば、光ディスク装置において、薄型化した場合にも、光ディスクの搬入・搬出動作の信頼性を確保することができる。
【発明を実施するための最良の形態】
【０００９】
以下、本発明を実施するための最良の形態につき、図面を用いて説明する。
図１〜図４は、本発明の第１の実施形態の説明図である。図１は、第１の実施形態としての光ディスク装置の内部構成例図、図２は、図１の構成におけるガイドレール部の拡大側面図、図３は、ディスク搬入・搬出用のトレイを装置本体から引き出したときの、図１の光ディスク装置の側面図、図４は、トップケース側から見た図１の光ディスク装置の外観図である。それぞれの図面において、同じ構成要素には同じ符号を付すとする。
【００１０】
図１において、１０は、光ディスクを載置して移動することにより、該光ディスクを装置本体内に搬入したり、装置本体内から装置本体外に搬出したりするためのトレイ、１１は、光ディスクを回転させるためのターンテーブル、１２は、光ディスクに対し信号を記録したり再生したりする光ピックアップ、２１は、トレイ１０の側端部の外側に摺動可能に係合し、該トレイ１０とともにディスク搬入方向またはディスク搬出方向に移動するレール部材、２２は、装置を覆うトップケース（図示なし）の内面との距離が上記ディスク搬入方向または上記ディスク搬出方向に対して変化するレール摺動面２５を有し、該レール摺動面２５で上記レール部材２１に係合して該レール部材２１の移動を案内するガイドレール部材、３２は、トップケースとともに装置を覆うボトムケースである。
【００１１】
図１の構成において、トップケース（図示なし）は、ボトムケース３２の上方に設けられ、該トップケースの内面とボトムケース３２の内面とは互いに略平行にされる。ターンテーブル１１は、これを回転駆動するディスクモータ（図示なし）に対し、例えば該ターンテーブル１１がモータ回転子の一部を形成する等の構成を有して該ディスクモータに直結されている。また、上記レール摺動面２５は、本第１の実施形態では、傾斜角θの直線状傾斜面とされ、ディスク搬出方向に対し該レール摺動面２５とトップケース内面との距離が次第に増大する構成となっている。傾斜角θは、例えば０．２°〜０．５°程度とする。該レール摺動面２５の該傾斜構造により、トレイ１０がディスク搬出方向に移動するにつれて次第に、該トレイ１０または該トレイ１０に搭載された部品などと該トップケース内面との距離が増大することになり、ディスク搬出時またはディスク搬入時において、該トレイ１０または該トレイ１０に搭載されたターンテーブル１１等の、該トップケース内面への当接が確実に回避される。
【００１２】
図２は、図１の構成におけるガイドレール部の拡大側面図である。
図２において、１１ａは、ターンテーブル１１の先端部、３１は、ターンテーブル１１側にあって光ディスク装置を覆い、装置外面部を形成するトップケース、３１ａは、該トップケース３１の内面部、３２は、トップケース３１に対向状に設けられ、該トップケース３１とともに光ディスク装置を覆い、装置外面部を形成するボトムケースである。トレイ１０は、その側端部の外側でレール部材２１に対し摺動可能に係合し、該レール部材２１は、その外側でガイドレール部材２２に摺動可能に係合している。ガイドレール部材２２のレール摺動面２５は、傾斜角θの直線状傾斜面とされ、ボトムケース３２やトップケース３１の内面部３１ａに対し傾斜角θで傾斜している。
【００１３】
トレイ１０がディスク搬出方向（Ａ方向）に移動するときは、トレイ１０は、レール部材２１に対しディスク搬出方向（Ａ方向）に移動し、該レール部材２１は、ガイドレール部材２２に対し、傾斜角θの直線状傾斜面であるガイドレール部材２２のレール摺動面２５上を、ディスク搬出方向（Ａ方向）に移動する。該移動により、レール摺動面２５とトップケース内面３１ａとの距離は、該トップケース内面３１ａからＡ方向に離れた位置となるにつれ次第に増大する。このとき、例えば、トレイ１０の装置本体内に挿入される部分でターンテーブル１１の先端部１１ａが最も高く突出している場合には、該先端部１１ａとトップケース内面３１ａとの距離が次第に増大し、少なくとも該先端部１１ａが該トップケース内面３１ａと平面的に重なる範囲の位置においても、互いの当接が確実に回避される距離が確保される。
【００１４】
トレイ１０がディスク搬入方向（Ｂ方向）に移動するときは、トレイ１０は、レール部材２１に対しディスク搬入方向（Ｂ方向）に移動し、該レール部材２１は、レール摺動面２５上を、ディスク搬入方向（Ｂ方向）に移動する。このとき、該移動により、レール摺動面２５とトップケース内面３１ａとの距離は、該トップケース内面３１ａに近い位置となるにつれ次第に減少するが、少なくとも上記ターンテーブル１１の先端部１１ａが該トップケース内面３１ａと平面的に重なる範囲の位置においても、該距離としては、該先端部１１ａと該トップケース内面３１ａとの間の当接が回避される距離が確保される。上記先端部１１ａがトップケース内面３１ａと平面的に重なる範囲の位置では、該先端部１１ａとトップケース内面３１ａとの間の距離は、例えば約０．９×１０−３ｍ以上とされる。該値とした場合は、上記トップケース３１が接地用のばねなどで外面側から押された場合にも、先端部１１ａと該トップケース内面３１ａとの間の空隙が確実に維持され、両者間の当接が回避される。例えば、板厚約０．６×１０−３ｍのアルミニウム材で構成されるトップケース３１の場合、接地用のばねなどによりその内面には約０．３×１０−３ｍ〜０．５×１０−３ｍの撓みが発生することが予想されるが、上記構成により、上記空隙は十分確保される。撓み発生時においても、適切な空隙を確保するために、レール摺動面としては、約０．２〜０．３°の範囲の傾斜角を設けることが好ましい。
【００１５】
図３は、図１の光ディスク装置において、トレイ１０を装置本体から引き出す途中状態を示す側面図である。トレイ１０は、装置本体の該トップケース内面（図示なし）に対し角θ傾斜した方向に引き出される。このため、ターンテーブル１１の先端部１１ａが突出している場合にも、該先端部１１ａは該トップケース内面に当接しない。ディスク搬入時、トレイ１０を装置本体内に挿入する場合も、トレイ１０は、装置本体のトップケース内面に対して角θ傾斜した方向に移動して挿入されるため、上記先端部１１ａは該トップケース内面に当接しない。
【００１６】
図４は、図１の光ディスク装置の、トップケース側から見た外観図である。
図４において、３３は、トレイ１０が装置本体内に挿入完了した位置において、ターンテーブル１１の先端部１１ａが、トップケース３１の内面（トップケース内面）に当接しないようにするためにトップケース３１に設けた孔、３４は接地用ばねである。孔３３は、トップケース３１上において、トレイ１０が装置本体内に挿入完了した位置のターンテーブル１１に同心状に設けられ、その孔径は該先端部１１ａの外径よりも大きくされる。接地用ばね３４は、接地のためにトップケース３１の外面を弾性復元力により押す。ディスク搬入時には、トレイ１０は、ターンテーブル１１が装置本体外にある位置すなわちトップケース３１、ボトムケース３２間の空間部よりも外側にある位置から、該ターンテーブル１１が上記トップケース３１上の孔３３と略同心となる位置（挿入完了位置）まで移動し、また、ディスク搬出時には、トレイ１０は、ターンテーブル１１が孔３３に略同心となる位置（挿入完了位置）から装置本体外となる位置まで移動する。上記ディスク搬入時、ディスク搬出時のいずれにおいても、上記ターンテーブル１１の先端部１１ａは、上記図１〜図３で説明した構成により、上記トップケース３１の内面に当接しない。
【００１７】
上記本発明の第１の実施形態によれば、光ディスク装置において、トップケースが接地用ばねなどにより押される場合にも、ターンテーブルなどトレイ上の突出部が該トップケースの内面に当接しないようにすることができ、その結果、光ディスクのスムーズな搬入・搬出動作が可能となる。
【００１８】
図５は、本発明の光ディスク装置の第２の実施形態の説明図であって、ガイドレール部材の拡大側面図を示す。本第２の実施形態は、ガイドレール部材２２のレール摺動面２５を段差状の構成とした場合の例である。
【００１９】
図５において、２５ａは第１の摺動面、２５ｂは第２の摺動面、２５ｃは第３の摺動面である。トレイ１０は、その側端部の外側でレール部材２１に摺動可能に係合し、該レール部材２１は、その外側でガイドレール部材２２に摺動可能に係合している。第１の摺動面２５ａ、第２の摺動面２５ｂ、第３の摺動面２５ｃはそれぞれ直平面で構成され、第１の摺動面２５ａと第３の摺動面２５ｃは互いに略平行に配され、第２の摺動面２５ｂは、第１の摺動面２５ａ、第３の摺動面２５ｃに対し傾斜状態で該両摺動面２５ａ、２５ｃを結合している。第１の摺動面２５ａと第３の摺動面２５ｃの高さの差は、約０．３×１０−３〜０．５×１０−３ｍである。
【００２０】
ディスク搬出時、トレイ１０は、レール部材２１に対しディスク搬出方向（Ａ方向）に移動し、該レール部材２１は、ガイドレール部材２２に対し、ガイドレール部材２２のレール摺動面２５上を、第３の摺動面２５ｃ、第２の摺動面２５ｂ、第１の摺動面２５ａの順にディスク搬出方向（Ａ方向）に移動する。該移動により、レール摺動面２５とトップケース内面３１ａとの距離は、第３の摺動面２５ｃで最小、第２の摺動面２５ｂではＡ方向に進むにつれ次第に増大し、第１の摺動面２５ａで最大となる。例えば、トレイ１０の装置本体内に挿入される部分でターンテーブルの先端部１１ａが最も高く突出している場合には、該先端部１１ａとトップケース内面３１ａとの距離が、第３の摺動面２５ｃで最小、第２の摺動面２５ｂではＡ方向に進むにつれ次第に増大し、第１の摺動面２５ａで最大となる。これによって、少なくとも該先端部１１ａが該トップケース内面３１ａと平面的に重なる範囲の位置においても、互いの当接が確実に回避される距離が確保される。
【００２１】
トレイ１０がディスク搬入方向（Ｂ方向）に移動するときは、トレイ１０は、レール部材２１に対しディスク搬入方向（Ｂ方向）に移動し、該レール部材２１は、レール摺動面２５上を、第１の摺動面２５ａ、第２の摺動面２５ｂ、第３の摺動面２５ｃの順にディスク搬入方向（Ｂ方向）に移動する。このときは、レール摺動面２５とトップケース内面３１ａとの距離は、第１の摺動面２５ａの位置で最大、第２の摺動面２５ｂの位置では次第に減少、第３の摺動面２５ｃの位置で最小となる。少なくとも上記ターンテーブル１１の先端部１１ａが該トップケース内面３１ａと平面的に重なる範囲の位置においても、該距離としては、該先端部１１ａと該トップケース内面３１ａとの間の当接が確実に回避される距離とされる。上記先端部１１ａがトップケース内面３１ａと平面的に重なる範囲の位置で、該先端部１１ａとトップケース内面３１ａとの間の距離は、例えば略０．９×１０−３ｍ以上とされる。該距離とした場合は、上記トップケース３１が接地用のばねなどで外面側から押されても、先端部１１ａと該トップケース内面３１ａとの間の空隙が確保され、両者の当接が回避される。
【００２２】
上記本発明の第２の実施形態によっても、光ディスク装置において、トップケースが接地用ばねなどにより押される構成の場合にも、ターンテーブルなどトレイ上の突出部が該トップケースの内面に当接しないようにすることができ、光ディスクのスムーズな搬入・搬出動作が可能となる。
【００２３】
なお、上記実施形態においては、ガイドレール部材のレール摺動面を、直線状傾斜面や、複数の直平面の結合から成る構成としたが、本発明はこれに限定されず、曲面や、曲面の結合や、曲面と直平面との結合などにより構成してもよい。
【図面の簡単な説明】
【００２４】
【図１】本発明の第１の実施形態としての光ディスク装置の構成例図である。
【図２】図１の構成におけるガイドレール部の拡大側面図である。
【図３】図１の光ディスク装置でトレイを装置本体から引き出したときの側面図である。
【図４】トップケース側から見た図１の光ディスク装置の外観図である。
【図５】本発明の第２の実施形態におけるガイドレール部の拡大側面図である。
【符号の説明】
【００２５】
１０…トレイ、
１１…ターンテーブル、
１１ａ…ターンテーブルの先端部、
１２…光ピックアップ、
２１…レール部材、
２２…ガイドレール部材、
２５…レール摺動面、
３１…トップケース、
３１ａ…トップケースの内面部、
３２…ボトムケース。
【図１】
2005259255.tif 000003
【図２】
2005259255.tif 000004
【図３】
2005259255.tif 000005
【図４】
2005259255.tif 000006
【図５】
2005259255.tif 000007